(57)【要約】【課題】  本発明の目的は、集じん機本体の持ち運び時の操作性を損なうことなく、ヘッド部上面への小物置き、車内などのスペースの有効活用を図ることができ、利便性の良い集じん機を提供することである。。【解決手段】  ヘッド部４の上面を、ほぼ平面に形成された平面部４ａ、凹部４ｂから形成すると共に、凹部４ｂ内に取っ手７の回動支点７ｂを設け、取っ手７は一部が上面から突出する回動位置と、上面から突出しない回動位置とに回動支点７ｂを支点として回動可能とすることにより達成される。【選択図】  図１
2006110077.tif 000002
【特許請求の範囲】
【請求項１】
モータと該モータにより回転する集じんファン、前記モータの駆動を制御するスイッチを収納し、本体持ち運び用の取っ手を設けたヘッド部と、該ヘッド部の下部に設けられ集じんしたごみを溜めるタンクと、一端が該タンクに接続されるダクトホースと、前記集じんファンの吸引力により、前記ダクトホースの他端から前記ダクトホースを介して屑をタンク内に集じんすることができる集じん機において、
前記ヘッド部の上面を、ほぼ平面に形成された平面部、凹部から形成すると共に、前記凹部内に前記取っ手の回動支点を設け、前記取っ手は一部が前記上面から突出する回動位置と、前記上面から突出しない回動位置とに前記回動支点を支点として回動可能としたことを特徴とする集じん機。
【請求項２】
前記取っ手が前記上面から突出しない回動位置にある際には、前記取っ手の一部が前記ヘッド部上面と同一平面上に位置することを特徴とする請求項１記載の集じん機。
【請求項３】
前記スイッチ、前記モータの回転による集じん風を排出する排気口を前記ヘッド部上面より下方に設けたことを特徴とする請求項記載のことを特徴とする請求項１あるいは請求項２記載の集じん機。
【請求項４】
前記ヘッド部上面に滑り止め手段を設けたことを特徴とする請求項１〜請求項３のいずれか１項記載の集じん機。
【請求項５】
前記ヘッド部上面と同一平面上に位置可能な前記取っ手部の一部に滑り止め手段を設けたことを特徴とする請求項４記載の集じん機。
【請求項６】
前記滑り止め手段は、複数の凸部であることを特徴とする請求項４あるいは請求項５記載の集じん機。
【請求項７】
前記凸部は前記ヘッド部あるいは前記取っ手と一体成形によって形成されることを特徴とする請求項６記載の集じん機。
【請求項８】
前記滑り止め手段は、着脱可能な弾性を有する別部材であることを特徴とする請求項４〜請求項６のいずれか１項記載の集じん機。
【発明の詳細な説明】
【技術分野】
【０００１】
本発明は、本体持ち運び用の取っ手をヘッド部に設け、ヘッド部の下部にごみを溜めるタンクを有する集じん機に関するものである。
【背景技術】
【０００２】
従来の集じん機の一例を図５、図６を用いて説明する。
【０００３】
手持ち形電動工具の屑排出口から集じん機のタンク５までダクトホース６を接続して、電動工具から排出される屑や粉じんを集じんする兼用集じん機が使用される環境の作業現場では、電動工具はもちろん曲尺（直角定規）、巻尺、その他かなりのものが煩雑に置かれている。
【０００４】
従来の集じん機はモータ１及び集じんファン２を内蔵し、側面に設けた起動・停止用スイッチ３を覆いさらに上面に突出した取っ手７を形成させたヘッドカバー４を有したヘッド部と、該ヘッド部の下方に設けたタンク５に一端を接続したダクトホース６設け、該ダクトホース６の他端を手持ち形電動工具の一つである丸のこ１２の切断粉排出口１３に接続されている。
【０００５】
まず集じん機の起動・停止用スイッチ３をＯＮさせ、モータ１、集じんファン２を介してダクトホース６内に吸引力を発生させる。次に手持ち形電動工具の一つである丸のこ１２の起動・停止用スイッチ３をＯＮさせ丸のこ１２を切断作業可能状態にする。次に丸のこ１２を矢印方向に向け被削材１４の切断作業を開始すると、吸引力により丸のこ１２の切断粉排出口１３からダクトホース６を介して、集じん機内部に切断による切断粉が搬送・集じんされる。切断作業が終了すると丸のこ１２の起動・停止用スイッチ３をＯＦＦさせ、作業者が移動して集じん機の起動・停止用スイッチ３をＯＦＦさせる。（例えば、特許文献１参照）
【特許文献１】特開２００４−０７３６８３号公報
【発明の開示】
【発明が解決しようとする課題】
【０００６】
上記したように従来の集じん機は、本体持ち運び用の取っ手７がヘッド部上面より突出しているため、ヘッド部上面への小物置きができない。車で移動する場合、車内などの少ないスペースを有効に使用するための段積み（集じん機の上にさらに電動工具や測定具などを積む行為）ができない等、不便さがあった。
【０００７】
なお、上記したような兼用集じん機は木材を切断したり、鋼鈑に穴を明けたり、釘を打ったりするのではなく、電動工具から排出される屑、粉じんの集じんをする機械のため、ダクトホース６を頻繁に移動するものではあるが、集じん機本体を移動することが少ないものである。
【０００８】
本発明の目的は、上記した従来技術の欠点をなくし、集じん機本体の持ち運び時の操作性を損なうことなく、ヘッド部上面への小物置き、車内などのスペースの有効活用を図ることができ、利便性の良い集じん機を提供することである。
【課題を解決するための手段】
【０００９】
上記目的は、ヘッド部の上面を、ほぼ平面に形成された平面部、凹部から形成すると共に、凹部内に取っ手の回動支点を設け、取っ手は一部が上面から突出する回動位置と、上面から突出しない回動位置とに回動支点を支点として回動可能とすることにより達成される。
【発明の効果】
【００１０】
本発明によれば、ヘッド部の上面を、ほぼ平面に形成された平面部、凹部から形成すると共に、凹部内に取っ手の回動支点を設け、取っ手は一部が上面から突出する回動位置と、上面から突出しない回動位置とに回動支点を支点として回動可能とすることにより、ヘッド部上面への小物置き、車内などのスペースの有効活用を図ることができ、利便性の良い集じん機を提供することができるようになる。
【発明を実施するための最良の形態】
【００１１】
本発明集じん機の一実施形態を図１〜図４により説明する。
【００１２】
図に示す集じん機は、ヘッド部と、ヘッド部下方に位置するタンク５とを有する構成をしている。
【００１３】
ヘッド部は、モータ１と、モータ１により回転する集じんファン２とを収納するヘッドカバー４を有し、ヘッドカバー４の側面にはモータ１の駆動を制御するスイッチ３と、集じんファン２の回転時にヘッド部内に発生する気体を排出する排気口１５とが設けられた構成をしている。
【００１４】
タンク５には、一端が電動工具に接続可能なダクトホースの他端を着脱可能な吸入口５ａが設けられており、図に示すようにヘッド部がタンク５に係合している際には、モータ１が駆動すると、ダクトホースの一端からダクトホースを介して屑をタンク５内に集じんすることができるようになっている。
【００１５】
ヘッド部を形成するヘッドカバー４の上面は、ほぼ平面に形成された平面部４ａと、凹部４ｂが形成されており、平面部４ａには複数の凸部４ｃが形成されている。凸部４ｃはヘッドカバー４と一体成形によって形成されたものである。
【００１６】
取っ手７は、取っ手７の両端付近に設けられた突起部７ｂと図示しない凹部４ｂ内に位置する穴部あるいは凹み部とが係合していることによって、両突起部７ｂを回動支点として回動可能となっている。
【００１７】
図４に示す状態では、凹部４ｂ内に取っ手７が収まるように配置されており、取っ手７は上記回動支点である突起部７ｂを支点として図４に示す回動位置と、図２に示すように取っ手７の一部がヘッドカバー４の上面よりも上方に突出する回動位置との間で回動可能となっている。なお、図２に示すように取っ手７を回動させた状態で、取っ手７を把持し本体を持ち運ぶことができるようになっている。
【００１８】
図１及び図３に示す状態は、図４に示すように取っ手７が凹部４ｂ内に収まるように回動した状態を示すが、この状態において取っ手７の一部である図４の紙面手前側の部分はヘッドカバー４の上面よりも突出せず、ほぼ該上面と同一平面状に位置するようになっている。この取っ手７の一部には、図４に示すように一体成形によって形成された複数の凸部７ａが設けられている。なお、この凸部７ａは取っ手７を把持する中央付近には設けられておらず、持ち運び時の把持に影響をきたさないようになっている。
【００１９】
上記構成において、集じん機本体の動作は、スイッチ３をＯＮにするとモータ１、集じんファン２が回転して、ダクトホース６内に吸引力が発生し、集じん可能な状態になる。
【００２０】
作業現場内で集じん機を持ち運ぶとき、あるいは運搬するための車まで運ぶ場合は、ヘッドカバー４に収納された取っ手７を回動させ立てた状態とし、該取っ手７を手で持って行う。
【００２１】
集じん機の使用中は、図４のようにヘッドカバー４の凹部８に取っ手７を収納し、ヘッドカバー４の上面はフラットとすると、このフラットな上面に小物を置いたりでき便利である。
【００２２】
また、集じん機を移動するため車などに積み込んだ状態では、集じん機の使用中と同様、凹部８に取っ手７を収納させ、ヘッドカバー４上面をフラットとすることにより、ヘッドカバー４の上面にその他のものが段積みでき、狭い車内などのスペースを有効活用できるという効果を奏でることができる。
【００２３】
また、上記ヘッドカバー４の上面に滑り止め手段を構成する複数個の凸部４ｃ、あるいは取っ手７のヘッドカバー４の上面と同一平面に位置できる部分に滑り止め手段を構成する複数の凸部７ａを設けた構成としたことにより、ヘッドカバー４上面上に物を載置した際に、載せた物が滑り難く利便性を向上させることができる。また、上記凸部４ｃ、７ａはヘッドカバー４及び取っ手７とそれぞれ一体性形成されるものであり、部品点数を増やすことなく安価に滑り止め機能を追加することができるものである。
【００２４】
なお、上記実施形態では、滑り止め手段として、凸部４ｃ、７ａを説明したが、例えばゴムなどの弾性材からなる別部材を着脱可能に設ける構成としても良いものである。
【図面の簡単な説明】
【００２５】
【図１】本発明集じん機の一実施形態を示す一部断面側面図。
【図２】図１の正面図。
【図３】図２の右側面図。
【図４】図２の平面図。
【図５】従来の集じん機の一例を示す一部断面側面図。
【図６】従来の集じん機と携帯用丸鋸を組み合わせ、切断作業をしている状態を示す外観斜視図。
【符号の説明】
【００２６】
１はモータ、２は集じんファン、３はスイッチ、４はヘッドカバー、４ａは平面部、４ｂは凹部、４ｃは凸部、５はタンク、６はダクトホース、７は取っ手、７ａは凸部、７ｂは突起部である。
【図１】
2006110077.tif 000003
【図２】
2006110077.tif 000004
【図３】
2006110077.tif 000005
【図４】
2006110077.tif 000006
【図５】
2006110077.tif 000007
【図６】
2006110077.tif 000008